(57)【特許請求の範囲】
【請求項１】
モータ駆動によってテレビレンズの変倍レンズ群を移動させてズーム調整を行うテレビレンズの駆動装置において、
テレ／ワイドのズーム方向の指示及びズームスピードの指示を行うズーム操作手段と、
前記ズーム操作手段の操作中にスイッチ手段が操作されることにより、該スイッチ手段の操作時の前記ズーム操作手段によるズーム方向及びズームスピードの指示を記憶する記憶手段と、
前記ズーム操作手段により指示されたズーム方向及びズームスピードとなるように前記モータを駆動する通常時モータ制御手段と、
前記ズーム操作手段の操作中に前記スイッチ手段が操作されることにより、前記ズーム操作手段からのズーム方向及びズームスピードの指示を無効にするとともに、前記記憶手段に記憶したズーム方向及びズームスピードの指示に従って、ズームスピードを一定に保つように前記モータを駆動する定速時モータ制御手段と、
前記定速時モータ制御手段により前記モータが駆動されている際に、前記ズーム操作手段が操作されることにより、前記記憶手段に記憶したズーム方向及びズームスピードの指示を無効にして、前記通常時モータ制御手段による前記モータの駆動に切り替える切替手段と、
を備えたことを特徴とするテレビレンズの駆動装置。
【請求項２】
ズームポジションがテレ端又はワイド端の付近に到達したことを検出する検出手段と、
前記検出手段の検出に基づいてテレ端及びワイド端の付近でズームスピードを減速させる減速手段と、
を備えたことを特徴とする請求項１のテレビレンズの駆動装置。
【請求項３】
前記スイッチ手段の操作部材は、リターンスイッチ等の他の機能に関わるスイッチ手段の操作部材と兼用されることを特徴とする請求項１のテレビレンズの駆動装置。
【発明の詳細な説明】
【０００１】
【発明の属する技術分野】
本発明はテレビレンズの駆動装置に係り、特に、ＥＮＧカメラ等に用いられるズームレンズのズーミング動作を制御する駆動装置に関する。
【０００２】
【従来の技術】
放送用カメラ等に用いられるＥＮＧレンズの場合、レンズ鏡胴側部にドライブユニットと呼ばれるレンズ駆動装置が取り付けられ、このドライブユニット内に配設されたモータの回転駆動力によってレンズ鏡胴のフォーカスリング、ズームリング、アイリスリング等を駆動して、ズーム、フォーカス、アイリスの調整を行うようになっている。
【０００３】
かかるレンズ駆動装置のズーム操作は、ズームシーソーコントロールスイッチ（以下、シーソースイッチと略記する。）やズームデマンド（zoom rate demand unit ）によって行われており、シーソースイッチやズームデマンドのサムリングの操作量に応じてスロースピードからハイスピードまで所望の速度に調整できるように構成されている。
【０００４】
【発明が解決しようとする課題】
しかしながら、従来、一定のスピードでズームをコントロールするためには、シーソースイッチ又はサムリングを押す深さ（操作量）を指で一定に保つ（固定する）必要がある。従って、カメラマンがＥＮＧカメラを肩に乗せて移動しながら撮影を行う場合、一定スピードでズームコントロールすることが困難であった。特に、スロースピードでその速度を一定に維持するには、長い時間シーソースイッチ等の押し込み量を一定に保たなければならず、その操作は困難である。
【０００５】
本発明はこのような事情に鑑みてなされたもので、簡易な操作によっ一定スピードでズームをコントロールすることができ、操作の負担を軽減することができるテレビレンズの駆動装置を提供することを目的とする。
【０００６】
【課題を解決するための手段】
本発明は前記目的を達成するために、モータ駆動によってテレビレンズの変倍レンズ群を移動させてズーム調整を行うテレビレンズの駆動装置において、テレ／ワイドのズーム方向の指示及びズームスピードの指示を行うズーム操作手段と、前記ズーム操作手段の操作中にスイッチ手段が操作されることにより、該スイッチ手段の操作時の前記ズーム操作手段によるズーム方向及びズームスピードの指示を記憶する記憶手段と、前記ズーム操作手段により指示されたズーム方向及びズームスピードとなるように前記モータを駆動する通常時モータ制御手段と、前記ズーム操作手段の操作中に前記スイッチ手段が操作されることにより、前記ズーム操作手段からのズーム方向及びズームスピードの指示を無効にするとともに、前記記憶手段に記憶したズーム方向及びズームスピードの指示に従って、ズームスピードを一定に保つように前記モータを駆動する定速時モータ制御手段と、前記定速時モータ制御手段により前記モータが駆動されている際に、前記ズーム操作手段が操作されることにより、前記記憶手段に記憶したズーム方向及びズームスピードの指示を無効にして、前記通常時モータ制御手段による前記モータの駆動に切り替える切替手段と、を備えたことを特徴としている。
【０００７】
本発明によれば、ズーム操作手段でズーム方向及びズームスピードを指示してズーム制御を行っている時にスイッチ手段を操作すると、該スイッチ手段の操作時におけるズーム方向及びズームスピードの指示が記憶手段に記憶される。そして、ズーム操作手段からの操作指令が無効となり、記憶手段に記憶したズーム方向及びズームスピードのままズーム動作が続けられる。これにより、ズーム操作手段の操作中にスイッチ手段を操作するという簡易な操作によってズームスピードを一定に保つことができる。
【０００８】
また、上記構成のテレビレンズの駆動装置に、更に、ズームポジションがテレ端又はワイド端の付近に到達したことを検出する検出手段と、前記検出手段の検出に基づいてテレ端及びワイド端の付近でズームスピードを減速させる減速手段と、を付加することにより、テレ端又はワイド端での急停止を防止することができ、ズーム端での自然な静止が可能となる。
【０００９】
更に、前記スイッチ手段の操作部材をリターンスイッチ等の他の機能に関わるスイッチ手段の操作部材と兼用する態様も可能である。
【００１０】
【発明の実施の形態】
以下添付図面に従って本発明に係るテレビレンズの駆動装置の好ましい実施の形態について詳説する。
図１は、本発明が適用されるテレビレンズの外観斜視図である。同図に示したテレビレンズ１は、ＥＮＧカメラ等に用いられるズームレンズであり、レンズ鏡胴２には、フォーカスリング４、ズームリング６及びアイリスリング８が形成されている。また、レンズ鏡胴２の側部には前記フォーカスリング４、ズームリング６及びアイリスリング８を駆動するドライブユニット１０が取り付けられている。
【００１１】
レンズ鏡胴２の内部構成については、図示されていないが、周知の如く、鏡胴内には、前方から順に、フォーカスレンズ群、変倍レンズ群、アイリス、及びリレーレンズ等が配置される。そして、フォーカスリング４を回動することによりフォーカスレンズ群が光軸に沿って前後移動してフォーカス調整が行われ、ズームリング６を回動することにより、変倍レンズ群が光軸に沿って前後移動してズーム調整が行われる。また、アイリスリング８を回動することによりアイリスの絞り径が調整されるようになっている。
【００１２】
ドライブユニット１０はケース１２を有し、このケース１２はビス１４、１４を介してレンズ鏡胴２の側部に固定される。ケース１２内には、図示せぬフォーカス駆動用モータが配置され、このフォーカス駆動用モータの回転駆動力が図示せぬギヤ伝達機構を介してフォーカスリング４に伝達されることで、フォーカスリング４が回転するようになっている。また、ケース１２内には、ズーム駆動用モータ（図１中不図示）が配置されており、このズーム駆動用モータの回転駆動力が図示せぬギヤ伝達機構を介してズームリング６に伝達されることでズームリング６が回転する。同様に、ケース１２内には、図示せぬアイリス駆動用モータが配置され、このアイリス駆動用モータによってアイリスリング８を回転駆動することができるようになっている。
【００１３】
ケース１２の上面にはズームシーソーコントロールスイッチ（シーソースイッチ）１６、アイリスのオート／マニュアルモード切替スイッチ１８、アイリスモーメンタリースイッチ２０、リターンスイッチ２２等が設けられている。
シーソースイッチ１６は、中立位置を基準に揺動自在であり、該シーソースイッチ１６をテレ（Ｔ）側又はワイド（Ｗ）側に操作すると、前記ズームリング６がテレ側又はワイド側に回動するようになっている。また、シーソースイッチ２２の押し込み量（操作量）によってズームスピードを調整することができ、その押し込み量が大きいほどズームスピードは高速になる。
【００１４】
ケース１２側面にはグリップバンド２４が設けられ、カメラマンはこのグリップバンド２４の中に右手（親指以外の４本の指）を挿入してレンズ鏡胴２を保持することができる。また、ケース１２後面にはＶＴＲスイッチ２６及びズーム定速制御スタートスイッチ（以下、定速スイッチと略記する。）２８が配設され（図２参照）、これらスイッチ２６、２８をカメラマンは右手の親指で操作できるようになっている。
【００１５】
ＶＴＲスイッチ２６は、撮影中の映像をビデオテープに記録（録画）する際の録画開始／終了を操作するためのスイッチであり、押しボタンタイプで構成される。定速スイッチ２８も押しボタンタイプで構成され、詳しくは後述するが、シーソースイッチ１６の操作中に定速スイッチ２８を押圧操作すると、押圧操作時のシーソースイッチ１６の操作量が示すズームスピードが一定に保たれるように構成されている。
【００１６】
尚、符号３０はズーム最大スピード調節ツマミであり、このツマミを回動操作することによって、シーソースイッチ１６を最も深く押し込み操作した場合のズームスピード（ズーム最大スピード）を適宜設定することができる。例えば、ズーム最大スピード調節ツマミ３０を図中時計回転方向に回すほどズーム最大スピードは高速に設定され、逆に、反時計回転方向に回すほどズーム最大スピードは低速に設定される。
【００１７】
図２には、テレビレンズ１の駆動装置の回路構成の一例が示されている。図２中符号３２はズーム駆動用モータ、符号３４は図１のシーソースイッチ１６に相当するポテンショメータ、符号３６は変倍レンズ群の位置（ズームポジション）を検出する為のズーム位置検出器に相当するポテンショメータ、符号３８は図１の定速スイッチ２８に相当するスイッチ手段（以下、スイッチＳＷ１と示す。）である。
【００１８】
シーソースイッチ１６のポテンショメータ３４の出力は、抵抗Ｒ1 及び電磁継電器４０（以下、スイッチＳＷ2 と示す。）を介して演算増幅回路４２の入力端子に導かれている。同図中演算増幅回路４２は、簡略化して図示してあるが、この演算増幅回路４２は、ズーム最大スピード調節ツマミ３０による最大速度の設定に基づいて、シーソースイッチ１６の操作量等に応じたズームスピードを実現するモータ駆動信号を生成する。かかるモータ駆動信号はパワーアンプ４４を介してズーム駆動用モータ３２に与えられる。
【００１９】
これにより、シーソースイッチ１６が操作された際には、設定されている最大スピードを上限として、シーソースイッチ１６の操作量に応じたズームスピードでズーム動作が行われる。
また、演算増幅回路４２の入力端子はコンデンサＣ1 の一方の端子と接続され、該コンデンサＣ1 の他方の端子はコモン電圧端子に接続される。これにより、スイッチＳＷ2 （常時閉回路接点）がＯＮの間、ポテンショメータ３４の出力電圧（ズーム速度指示電圧）がコンデンサＣ1 に蓄積される。そして、詳しくは後述するが、スイッチＳＷ1 の押圧操作（ＯＮ）によってスイッチＳＷ2 がＯＦＦし、コンデンサＣ1 にスイッチＳＷ1 の押圧操作時のズーム速度指示電圧が記憶される。これにより、スイッチＳＷ1 ＯＮ時のズーム速度指示電圧が演算増幅回路４２に入力し、ズームスピードが一定に維持される。
【００２０】
ズームポジションはポテンショメータ３６によって常時検出されており、該ポテンショメータ３６の出力信号（ズーム位置検出信号）はズーム端検出回路４６へと導かれる。同図中ズーム端検出回路４６は、簡略化して示してあるが、このズーム端検出回路４６は、ポテンショメータ３６からのズーム位置検出信号に基づいて、ズームポジションがテレ端又はワイド端（以下、ズーム端という。）に到達したか否かを検出し、その検出結果に応じた信号を出力するようになっている。
【００２１】
ズーム端検出回路４６の出力信号は、ダイオードＤ1 を介して電磁継電器４８（以下、スイッチＳＷ3 と示す。）に導かれ、スイッチＳＷ3 の接点（常時開回路接点）の開閉を行うようになっている。
スイッチＳＷ3 の一方の端子４８Ａは上述したコンデンサＣ1 の端子と共に演算増幅回路４２の入力端子に接続され、スイッチＳＷ3 の他方の端子はコモン電圧端子に接続される。そして、ズーム端検出回路４６からズーム端を検出したことを示す検出信号が出力されると、スイッチＳＷ3 がＯＮし、演算増幅回路４２からモータ静止信号が出力されて、ズーム駆動用モータ３２が停止する。
【００２２】
また、ズーム端検出回路４６の出力信号は、ダイオードＤ1 及びＤ2 を介して入出力回路（例えば、アップカウンタ）５０のクリア端子（CR) に導かれる。入出力回路５０の入力端子（CK) はスイッチＳＷ1 を介して電圧端子５２と接続され、入力出力回路５０の出力信号はスイッチＳＷ2 及び解除回路５４に導かれる。入出力回路５０は、入力端子（CK) からパルスが１つ入力すると、出力端子（Q ）からスイッチＳＷ2 の接点をＯＦＦする信号を出力する。
【００２３】
解除回路５４は、同図では簡略化して示してあるが、シーソースイッチ１６のポテンショメータ３４の出力の変化を検出して、入出力回路５０にリセット信号を与える。これにより、シーソースイッチ１６を操作した時にはスイッチＳＷ2 が閉じられ、一定スピードの動作（定速動作）が解除される。
次に、上記の如く構成されたテレビレンズの駆動装置の作用について説明する。
【００２４】
通常の状態（未操作状態）においては、図２に示したスイッチＳＷ1 はＯＦＦ、スイッチＳＷ2 はＯＮ、スイッチＳＷ3 はＯＦＦとなっている。従って、この状態からシーソースイッチ１６を操作すると、その操作に応じたポテンショメータ３４出力が演算増幅回路４２に導かれ、ズーム駆動用モータ３２が駆動される。即ち、ズーム最大スピード調節ツマミ３４で設定されている最大スピードを上限として、シーソースイッチ１６の押し込み量に対応したズームスピードでズーム動作が実行される。
【００２５】
この間、ポテンショメータ３６によってズームポジションが常時監視されており、ズーム端検出回路４６によってズーム端を検出すると、スイッチＳＷ3 がＯＮしてシーソースイッチ１６からの指示が無効になる。そして、演算増幅回路４２からモータ静止信号が出力され、ズーム駆動用モータ３２が停止する。
シーソースイッチ１６の操作中、ズーム端が検出されないうちに、更に、定速スイッチ２８（スイッチＳＷ1 ）を押圧操作（ＯＮ）すると、スイッチＳＷ2 がＯＦＦしてポテンショメータ３４の出力電圧がコンデンサＣ1 に記憶される。従って、その後、シーソースイッチ１６から指を離して中立状態に戻しても、シーソースイッチ１６でコントロールしていたスピード（一定スピード）のままズームは作動し続ける。
【００２６】
かかる定速動作が解除されるのは、以下の３つの場合である。即ち、第１はズーム端検出回路４６によってズーム端が検出された場合、第２は定速動作中にシーソースイッチ１６を再操作した場合、そして、第３は定速動作中にスイッチＳＷ1 を再度押圧操作した場合である。
定速動作中にズーム端検出回路４６がズーム端を検出すると、該ズーム端検出回路４６から検出信号が出力されスイッチＳＷ3 がＯＮになる。この時、演算増幅回路４２からモータ静止信号が出力され、ズーム駆動用モータ３２は静止する。
【００２７】
また、定速動作中にシーソースイッチ１６を再操作すると、その操作によるポテンショメータ３４の出力変化が解除回路５４で検出され、解除回路５４から入出力回路５０にリセット信号が出力される。このリセット信号の入力によって入出力回路５０はスイッチＳＷ2 をＯＮする信号を出力する。これにより、シーソースイッチ１６のポテンショメータ３４の出力電圧が演算増幅回路４２に導かれ、シーソースイッチ１６の操作に応じたスピードでズーム動作が行われる。
【００２８】
その他、定速スイッチ２８の押圧操作によってスタートした定速動作中に再度、定速スイッチ２８を押すと、入出力回路５０からスイッチＳＷ2 をＯＮする信号が出力され、定速動作が解除される。
次に、上述したズーム動作の流れを図３のフローチャートを参照しながら説明する。
【００２９】
ズーム制御においては、シーソースイッチ１６の操作の有無（ステップＳ１０１）、及び定速スイッチ２８（スイッチＳＷ1 ）の操作の有無（ステップＳ１０２）によって動作内容が規定される。
即ち、シーソースイッチ１６が操作された後（ステップＳ１０１）、スイッチＳＷ1 がＯＮされなければ、シーソースイッチ１６の指示に応じたスピードでズームが作動する（ステップＳ１０４）。その後、ズーム端が検出されるか（ステップＳ１０８）、或いは、シーソースイッチ１６の操作が解除されるまで（ステップＳ１１０）、シーソースイッチ１６の指示に従ったズーム動作が行われる（ステップＳ１０４〜Ｓ１１０）。
【００３０】
そして、ステップＳ１０８においてズーム端が検出され、又は、ステップＳ１１０においてシーソースイッチ１６の操作が解除されると、ズーム動作が終了する（ステップＳ１３０）。
他方、シーソースイッチ１６が操作された後（ステップＳ１０１）、スイッチＳＷ1 がＯＮされると（ステップＳ１０２）、スイッチＳＷ1 がＯＮした時点のシーソースイッチ１６の指示スピードのまま、ズームスピードが一定に保たれる（ステップＳ１２０）。
【００３１】
その後、ズーム端が検出されるか（ステップＳ１２４）、又はスイッチＳＷ1 の再操作、若しくはシーソースイッチ１６の再操作がなされるまで（ステップＳ１２６）、かかる一定スピードによるズーム動作が維持される（ステップＳ１２０〜Ｓ１２６）。
そして、この定速ズーム動作中にズーム端が検出され（ステップＳ１２４）、又はスイッチＳＷ1 の再操作、若しくはシーソースイッチ１６の再操作がなされると（ステップＳ１２６）、一定スピードの制御が解除される（ステップＳ１２８）。こうして、一連のズーム動作が終了する（ステップＳ１３０）。尚、その後は、ステップＳ１２４においてズーム端を検出している場合にはズーム動作が停止し、ステップＳ１２６においてスイッチＳＷ1 の再操作、又はシーソースイッチ１６の再操作がなされている場合には、上述のステップＳ１０１の処理に戻ることになる。
【００３２】
かかる構成のテレビレンズの駆動装置によれば、シーソースイッチ１６の操作中に定速スイッチ２８を押すという簡易な操作によって、ズームスピードを一定に保つことができる。また、かかる定速動作中であっても、シーソースイッチを再操作すれば、一定スピードの動作が解除され、シーソースイッチの操作が優先されるようにしたので、撮影者は思い通りにズームをコントロールできる。
【００３３】
上記実施の形態において、図２に示したズーム端検出回路４６に代えて、図４に示したようにタイマー回路６０を用いることも可能である。尚、図４中、図２に示した実施の形態と同一又は類似の部材いは同一の符号を付し、その説明は省略する。
図４に示した例では、スイッチＳＷ1 の端子３８Ａがタイマー回路６０の入力端子と接続され、タイマー回路６０によってスイッチＳＷ1 がＯＮしてからの経過時間をカウントするようになっている。タイマー回路６０は、ズームの最低スピードで計算した場合のテレ端からワイド端に到達するまでに要する時間が設定され、スイッチＳＷ1 がＯＮしてからの経過時間がその設定値に達した場合に、スイッチＳＷ3 をＯＮする信号を出力する。これにより、図２で説明したズーム端検出回路４６と略同等の役割を果たすことができる。
【００３４】
尚、この場合、図３に示したフローチャート中のステップＳ１２４は、ズーム端検出の有無に代えて、タイマー回路６０による一定時間経過の有無の判別となる。
図５には、本発明に係るテレビレンズの駆動装置をズームデマンドに適用する場合の例が示され、図５中図２に示した実施の形態と同一又は類似の部材いは同一の符号を付し、その説明は省略する。図５中一点鎖線で示した境界線６２の左側がズームデマンド、右側がテレビレンズに相当しており、演算増幅回路４２、パワーアンプ４４、ズーム駆動用モータ３２及びズーム位置検出器（ポテンショメータ３６）はテレビレンズ側に設けられる。
【００３５】
ズームデマンドは、ズーム操作手段としてのサムリングを有し、図５の符号３４がこのサムリングのポテンショメータに相当する。また、スイッチＳＷ1 、ズーム端検出回路４６、入出力回路５０、解除回路５４、コンデンサＣ1 等はズームデマンド側に設けられ、このズームデマンドがケーブルを介してテレビレンズと接続される。かかる構成から成るテレビレンズの駆動装置の作用は図２に示した例と同様であるので説明は省略する。
【００３６】
また、図５に示したズーム端検出回路４６に代えて、図６に示したようにタイマー回路６０を用いてもよい。尚、図６中、図５に示した実施の形態と同一又は類似の部材は同一の符号を付し、その説明は省略する。図６に示した構成の作用は図４で説明した例と同様であり、かかる構成によれば、ズーム位置検出用のポテンショメータを省略することができるという利点がある。
【００３７】
次に、本発明の第２の実施の形態について説明する。
図７には、本発明の第２の実施の形態に係るテレビレンズの駆動装置の構成が示されている。図７中図２に示した実施の形態と同一又は類似の部材は同一の符号を付し、その説明は省略する。
このテレビレンズの駆動装置は、演算増幅回路４２の前段にズーム速度減速回路６６が設けられ、ズーム位置検出用のポテンショメータ３６の出力が、このズーム速度減速回路６６にも導かれるように構成される。
【００３８】
同図中ズーム速度減速回路６６は簡略化して示してあるが、ズーム速度減速回路６６は、ズーム位置検出用のポテンショメータ３６からの信号に基づいて、現在のズームポジションがズーム端の付近であるか否かを検出し、ズーム端の近傍においてズームスピードを滑らかに減速させてズーム端で停止させるように演算増幅回路４２に対して信号を出力する。尚、ズーム端の付近であるか否かの判別基準や減速の時定数等は適宜設定される。
【００３９】
かかる構成により、テレ端又はワイド端に近づくと自動的に減速し、ズーム端での急停止を防止することができる。
図８には、図７に示したテレビレンズの駆動装置におけるズーム動作の流れが示されている。図８のフローチャートは、図３で説明したフローチャートのステップＳ１０４とステップＳ１０８の間に、ズーム端付近の検出処理（ステップＳ１０６）及びズームスピード減速処理（ステップＳ１０７）を追加するとともに、ステップＳ１２０とステップＳ１２４の間に、ズーム端付近の検出処理（ステップＳ１２２）及びズームスピード減速処理（ステップＳ１２３）を追加したものである。従って、図８中、図３に示したフローチャートと同一の処理については同一のステップ番号を付し、その説明は省略する。
【００４０】
ステップＳ１０４においてシーソースイッチ１６の指示に基づいてズーム作動中、ズーム速度減速回路６６によってズーム端付近であることが検出されると（ステップＳ１０６）、所定の減速関数に従ってズームスピードを減速する（ステップＳ１０７）。ステップＳ１０６において、ズームポジションがズーム端付近でなければ、シーソースイッチ１６の指示によるズーム制御が継続される（ステップＳ１０８、ステップＳ１１０）。
【００４１】
また、シーソースイッチ１６の操作中にスイッチＳＷ1 が操作され（ステップＳ１０１、Ｓ１０２）、定速動作が行われている際に、ズーム速度減速回路６６によってズーム端付近であることが検出されると（ステップＳ１２２）、所定の減速関数に従ってズームスピードを減速する（ステップＳ１２３）。ステップＳ１２２において、ズームポジションがズーム端付近でなければ、ステップＳ１２０の定速動作が継続される（ステップＳ１２４、ステップＳ１２６）。
【００４２】
これにより、テレ端及びワイド端の近傍の手前から滑らかにズームスピードを減速して、テレ端及びワイド端で停止させることができ、特に、高スピードで動作している場合に一層効果的である。
次に、本発明の第３の実施の形態について説明する。
図９には、本発明の第３の実施の形態に係るテレビレンズの駆動装置の構成が示されている。図９中図２に示した実施の形態と同一又は類似の部材には同一の符号を付し、その説明は省略する。
【００４３】
このテレビレンズの駆動装置は、スイッチＳＷ1 をリターンスイッチ（ＲＥＴＳＷ）２２と兼用するものであり、装置の外観上、図１に示した定速スイッチ２８を設ける必要がない。尚、本例では、リターンスイッチ２２に定速スイッチの機能が兼備される場合を例に説明するが、リターンスイッチ２２以外の他のスイッチに定速スイッチの機能を兼備させることも可能である。
【００４４】
リターンスイッチ２２は、撮影者のテレビカメラのビューファインダーに、他のカメラマンが撮影した映像等（例えば、オンエア中の映像）を映し出す時に操作されるものであり、かかる映像の確認の際に適宜操作される。
図９に示したようにスイッチＳＷ1 の後段に入力判別回路６８が設けられ、この入力判別回路６８によって、スイッチＳＷ1 をリターンスイッチとして使用するか、定速動作の定速スイッチとして使用するかの機能切換を行う。
【００４５】
入力判別回路６８には、シーソースイッチ１６のポテンショメータ３４の出力電圧が入力されるとともに、ズーム端検出回路４６の検出信号が入力され、シーソースイッチ１６の操作時に限りスイッチＳＷ1 の操作信号を入出力回路５０に伝達する。そして、シーソースイッチ１６が未操作の場合は、入力判別回路６８によってスイッチＳＷ1 の接続経路が切り換えられ、スイッチＳＷ1 の操作信号は図示せぬカメラ回路のリターン入力端子に導かれるように構成される。
【００４６】
これにより、スイッチＳＷ1 は、シーソースイッチ１６の未操作時にはリターンスイッチとして機能し、シーソースイッチ１６の操作時のみズーム一定スピード用の定速スイッチとして機能する。尚、この場合の定速動作の解除は、ズーム端の検出、又はシーソースイッチ１６の再操作によって行われる。
このように、ズームスピードを一定に保つ時に操作する定速スイッチを従来から存在するリターンスイッチ等の他のスイッチと兼用することにより、定速スイッチとしての専用のスイッチ手段を設ける必要がなくなる。
【００４７】
また、図９において、ズーム端検出回路４６に代えてタイマー回路６０を用いてもよいことは、図４で説明した実施の形態と同様である。
【００４８】
【発明の効果】
以上説明したように本発明に係るテレビレンズの駆動装置によれば、ズーム操作手段の操作時にスイッチ手段を操作することで、ズーム方向及びズームスピードの指示を記憶し、スイッチ手段の操作時のズームスピードを維持するようにしたので、ズーム一定スピードの操作が容易になる。特に、ＥＮＧカメラ等、カメラマンがテレビカメラを肩に担いで移動しながら撮影するような場合に効果的である。
【００４９】
また、本発明によれば、ズームスピードを一定に保つ為の操作が容易になるので、カメラマンはズーム操作に煩わされず、構図の確認や周囲の状況把握など他のことに集中することができる。従って、危険な場所等で足元に気を配ることも可能で事故を未然に防止することができる。
更に、テレ端又はワイド端の付近で減速する機能を付加することにより、テレ端又はワイド端で自然な静止が可能となる。
【図面の簡単な説明】
【図１】本発明が適用されるテレビレンズの外観斜視図
【図２】テレビレンズの駆動装置の構成例を示す回路図
【図３】ズーム動作の流れを示すフローチャート
【図４】テレビレンズの駆動装置の他の構成例を示す回路図
【図５】本発明に係るテレビレンズの駆動装置をズームデマンドに適用した場合の構成例を示す回路図
【図６】本発明に係るテレビレンズの駆動装置をズームデマンドに適用した場合の他の構成例を示す回路図
【図７】本発明の第２の実施の形態に係るテレビレンズの駆動装置の構成図
【図８】図７に示したテレビレンズの駆動装置のズーム動作の流れを示すフローチャート
【図９】本発明の第３の実施の形態に係るテレビレンズの駆動装置の構成図
【符号の説明】
１…テレビレンズ
２…レンズ鏡胴
６…ズームリング
１０…ドライブユニット
１６…シーソースイッチ（ズーム操作手段）
２２…リターンスイッチ
２８、３８…定速スイッチ（スイッチ手段）
３２…ズーム駆動用モータ
３４…ポテンショメータ（ズーム操作手段）
３６…ポテンショメータ（検出手段）
４０…電磁継電器（モータ制御手段）
４２…演算増幅回路（モータ制御手段）
５０…入出力回路（モータ制御手段）
６６…ズーム速度減速回路（検出手段、減速手段）
Ｃ1 …コンデンサ（記憶手段）
【図１】
0003880706.tif 000002
【図２】
0003880706.tif 000003
【図３】
0003880706.tif 000004
【図４】
0003880706.tif 000005
【図５】
0003880706.tif 000006
【図６】
0003880706.tif 000007
【図７】
0003880706.tif 000008
【図８】
0003880706.tif 000009
【図９】
0003880706.tif 000010